(57)【要約】【課題】  光ディスクの副次情報が容易に複製されない構造を有する光ディスクを提供する。【解決手段】  アドレス情報領域を含む物理ブロックを備え、副次情報が記録されている光ディスクであって、アドレス情報領域はアドレス情報とアドレス情報を再生するための同期信号パターンとを含みの情報とが記録されており、同期信号パターンが光ディスクの副次情報に応じて反転している光ディスクを提供する。本発明の光ディスクでは、副次情報がウォブルパターンやピットパターンなどの物理的な凹凸パターンにより記録することができるので、光ディスクの副次情報を容易に複製することができない光ディスクが得られる。【選択図】  図３
2005317142.tif 000002
【特許請求の範囲】
【請求項１】
アドレス情報領域を含む物理ブロックを備え、副次情報が記録されている光ディスクにおいて、
該アドレス情報領域はアドレス情報と該アドレス情報を再生するための同期信号パターンとを含み、該同期信号パターンには該光ディスクの副次情報に関する情報が含まれていることを特徴とする光ディスク。
【請求項２】
上記同期信号パターンが上記副次情報に関する情報に応じて反転していることを特徴とする請求項１に記載の光ディスク。
【請求項３】
上記同期信号パターンに含まれる副次情報に関する情報が１ビットの情報であることを特徴とする請求項１または２に記載の光ディスク。
【請求項４】
上記光ディスクの副次情報が、上記物理ブロックに形成された同期信号パターンで表わされる副次情報に関する情報の集合で構成され、上記光ディスクの副次情報を表わす物理ブロックの集合単位長さが単トラック長の整数倍であることを特徴とする請求項１〜３のいずれか一項に記載の光ディスク。
【請求項５】
上記同期信号パターンが凹凸パターンであることを特徴とする請求項１〜４のいずれか一項に記載の光ディスク。
【請求項６】
アドレス情報領域を含む物理ブロックを備え、該アドレス情報領域にはアドレス情報と該アドレス情報を再生するための同期信号パターンとが含まれ、該同期信号パターンが該光ディスクの副次情報に関する情報に応じて反転している光ディスクの再生装置であって、
該物理ブロック内の同期信号パターンから得られる再生信号の極性を判別して、該再生信号の極性に対応した情報を再生する位相判別部と、
該位相判別部で得られた情報に基づいて、該光ディスクの副次情報を再生する副次情報再生部とを備えた光ディスクの再生装置。
【発明の詳細な説明】
【技術分野】
【０００１】
本発明は光ディスク及び光ディスクの再生装置に関し、より詳細には、光ディスクを駆動するために必要な光ディスクの副次情報が記録された光ディスク及びその再生装置に関する。
【背景技術】
【０００２】
近年、光ディスクの分野では、光ディスクの高密度化に伴いトラックフォーマットの構造が複雑になり、データ記録部のみならずドライブで光ディスクを駆動するための管理情報領域のフォーマットもまた複雑になっている。例えば、管理情報領域ではデータ記録部と異なるフォーマットを採用する例が増えている。
【０００３】
光ディスクは、一般に光ディスクの内周側に管理情報を含んだ管理情報領域を備え、その外側にユーザー情報を含んだユーザー情報領域を備えた構造を有する。このような構造は、ＤＶＤ−ＲＡＭのようにディスクの内周側から情報を記録するタイプの光ディスクでは一般的である。ディスクの外周側から情報を記録する光ディスクの場合は、外周側に管理情報領域が形成される。また、管理情報領域とは呼称していないが、内周及び外周双方にコントロールトラック領域（管理情報が記録される領域）が設けられた光ディスクもある。
【０００４】
また、光ディスクに記録される情報を保護する、あるいは、光ディスクの違法コピーを防止するための情報（以下では、副次情報ともいう）を光ディスク内に記録することが種々提案されている。光ディスクの副次情報を光ディスク内に記録する方法としては、光ディスクの製造過程のうち原盤プロセスにおいて記録する方法、あるいは、記録膜若しくは反射膜を形成した光ディスクに対して後からそれらの膜に光ディスクの副次情報を記録する方法等が提案されている。また、従来、デジタル情報のコピーを防止するために、伝送あるいは記録しようとする信号中に再生動作を妨害する再生妨害領域を設ける方法が提案されている（例えば、特許文献１を参照）。特許文献１の方法では、再生妨害領域に所定の同期信号とは異なる特殊同期信号を設け、情報をコピーしようとするとクロックがとれなくなったりサーボが外れたりしてコピーが防止される技術を開示している。
【０００５】
【特許文献１】特開平９−１１５２４２号公報（第２−３頁）
【発明の開示】
【発明が解決しようとする課題】
【０００６】
一般に、記録再生装置で再生する領域の技術情報は、互換性確保のために作成されたフォーマット等を記載した物理仕様書に詳細に記載される。この技術情報はデータを記録再生するための必要最低限の情報であり、それらの情報のうちセキュリティに関する情報（ＩＤ情報など）は記録情報を保護するための情報であるので、その内容は一般に公開されない。このセキュリティに関する情報、すなわち、光ディスクの副次情報は光ディスクのユーザー情報等の記録再生に必ずしも必要ではない。それゆえ、基本的には、セキュリティに関する情報などの副次情報は、光ディスクに記録されたその他の情報（アドレス情報やユーザー情報など）の記録再生に障害をもたらすものであってはならない。
【０００７】
また、光ディスクの副次情報には、媒体の識別を行うための情報も含まれる。この媒体の識別情報としては、例えば、メーカーの媒体信頼度を保証するための製造メーカーの識別コードやメーカー名称などの情報が含まれる。近年、第三者が識別コードを不正に使用して媒体を市場に供給するという事件が発生している。識別コードは各メーカーごとに付与されるものであるので、偽造された識別コードを用いた媒体が市場に供給されると、メーカーの信用度を低下させるという問題が生じる。それゆえ、現在、容易に偽造できない識別コード、メーカー名称、商標コード、その他媒体独自のデータ等（副次情報）を有する光ディスクが求められている。
【０００８】
本発明は上記課題を解決するためになされたものであり、本発明の第１の目的は、光ディスクの副次情報が容易に複製されない構造を有する光ディスクを提供することである。また、光ディスクの記録再生装置から光ディスクのセキュリティに関する副次情報が入手できたとしても、ライトワンス媒体では記録できない構造を有する光ディスクを提供することである。
【０００９】
また、本発明の第２の目的は、副次情報の有無に関わらず、通常の記録動作及び再生動作を行える光ディスク及びその再生装置を提供することである。
【課題を解決するための手段】
【００１０】
本発明の第１の態様に従えば、アドレス情報領域を含む物理ブロックを備え、副次情報が記録されている光ディスクにおいて、該アドレス情報領域はアドレス情報と該アドレス情報を再生するための同期信号パターンとを含み、該同期信号パターンには該光ディスクの副次情報に関する情報が含まれていることを特徴とする光ディスクが提供される。
【００１１】
本発明の光ディスクでは、上記同期信号パターンが上記副次情報に関する情報に応じて反転していることが好ましい。
【００１２】
本発明の光ディスクでは、上記同期信号パターンに含まれる副次情報に関する情報が１ビットの情報であることが好ましい。
【００１３】
また、本発明の光ディスクでは、上記光ディスクの副次情報が、上記物理ブロックに形成された同期信号パターンで表わされる副次情報に関する情報の集合で構成され、上記光ディスクの副次情報を表わす物理ブロックの集合単位長さが単トラック長の整数倍であることが好ましい。
【００１４】
本発明の光ディスクの一例を図１〜３に示す。本発明の光ディスクのデータフォーマットは、図１（ａ）に示すように、複数の物理ブロックから構成される。ただし、媒体上の位置情報を示すアドレス情報領域を含み、取り扱うことが可能なブロックを物理ブロックとする。各物理ブロックは図２（ａ）に示すように、複数のセグメントで構成され、セグメント間にはクロックマークが形成されている。図２の例では、物理ブロックの先頭のセグメント２０は同期信号パターンが形成された領域（以下、ＳＹＮＣ領域という）とアドレス情報領域とで構成される。
【００１５】
図２（ａ）中の物理ブロック内の先頭に配置されたセグメント２０の内容の具体例を示したのが図３である。図３中の領域２がＳＹＮＣ領域、領域３〜６がアドレス情報領域である。図３の例では同期信号パターンをウォブルパターンで形成している。なお、図３の例では、セグメント内部の領域をさらにクロックマーク１で分割している。
【００１６】
本発明の光ディスクでは、図１（ｂ）及び図２（ｂ）に示すように、光ディスクの副次情報はビット列で表わされ、このビット列で表わされた副次情報を構成する各ビットの情報（「１」または「０」）が、各物理ブロックのＳＹＮＣ領域２に形成された同期信号パターン（図３ではウォブルパターン）により記録される。例えば、図３中の同期信号パターン１０Ａ及び１０Ｂのように、副次情報に関する情報（「１」または「０」）に応じて、同期信号パターンを反転させることにより副次情報を同期信号パターンに記録する。同期信号パターンとしては、図５（ａ）に示すようなウォブルパターンだけでなく、図５（ｂ）に示すようなピットパターンを用いても良い。
【００１７】
ここで、本発明において、同期信号パターンの反転とは、同期信号パターンがウォブルパターンで形成される場合には、ウォブルパターンの径方向の位相状態が同期信号パターンに記録される副次情報に関する情報（「１」または「０」）に応じて逆の位相関係（正位相または逆位相）になることをいい、一方、同期信号パターンがピットパターンで形成されている場合には、ピットが形成されている領域とピットが形成されていない領域とが同期信号パターンに記録される副次情報に関する情報（「１」または「０」）に応じて逆になることをいう。すなわち、例えば、図５（ａ）の上図に示した同期信号のウォブルパターンを情報「１」とした場合、図５（ａ）の上図のウォブルパターンと逆位相の関係にある図５（ａ）の下図に示した同期信号のウォブルパターンの情報は「０」となる。また、図５（ｂ）の上図に示した同期信号のピットパターンを情報「１」とした場合、図５（ｂ）の上図のピットパターンと逆のピットパターンとなる図５（ｂ）の下図に示した同期信号のピットパターンの情報は「０」となる。また、同期信号パターンが記録膜等に記録マークとして形成されている場合には、同期信号パターン内の記録マーク部と未記録部を反転させることを同期信号パターンの反転という。
【００１８】
図５に示すような同期信号パターンからの再生信号（プッシュプル信号など）を検知した場合、検出された再生信号のパターン長や信号の振幅等は同期信号パターンに記録された副次情報に関係無く同じであるが、得られる再生信号の極性（位相）は同期信号パターンに記録された副次情報に関する情報に応じて異なる。それゆえ、本発明の光ディスクでは、各物理ブロックのＳＹＮＣ領域から同期信号を再生する際に、同期信号だけでなく同期信号の再生信号の極性（位相）を判別することにより、光ディスクの副次情報の一部を再生することができる。図１〜３の光ディスクの例では、光ディスクの副次情報を構成するビット列のうちの１ビットの情報が各物理ブロック単位で得られる。そして、各物理ブロック単位で得られた１ビットの情報を図２（ｂ）に示すように、所定のビット列で構成することにより光ディスクの副次情報を再生することができる。
【００１９】
なお、本発明の光ディスクで同期信号パターンから同期信号を生成する際には、各物理ブロック単位の同期信号パターンの再生信号の極性が同期信号パターンに記録された副次情報に応じて逆になるだけであり、得られた再生信号の絶対値を考えれば同じ再生信号が得られる。それゆえ、同期信号パターンの再生信号の極性が正位相・逆位相いずれであっても同一の同期信号を再生することができる。
【００２０】
また、本発明の光ディスクでは、図１（ｂ）及び図２（ｂ）に示すように、光ディスクの副次情報は、各物理ブロックに形成された同期信号パターンで表わされる副次情報に関する情報（１ビットの情報）の集合で構成される。この副次情報を表わす物理ブロックの集合単位（ビット列）の長さは単トラック長の整数倍（１トラック長、２トラック長、３トラック長、…）にすることが好ましい。例えば、副次情報を表わす物理ブロックの集合単位長さをトラック１周で形成した場合、１トラックを構成する物理ブロックの数（ビット数）で副次情報を記録することになる。物理ブロックをフレームと称すれば、例えば、１トラックを２４フレームで構成した場合、１トラックに２４ビット（３バイト）の副次情報を記録することができる。
【００２１】
本発明の光ディスクでは、上記同期信号パターンが凹凸パターンであることが好ましい。なお、同期信号パターンを、図５に示すようなウォブルパターンやピットパターンの物理的な凹凸パターンで形成する場合、これらの同期信号パターンは光ディスクの原盤製造プロセスで形成することが好ましい。
【００２２】
本発明の第２の態様に従えば、アドレス情報領域を含む物理ブロックを備え、該アドレス情報領域にはアドレス情報と該アドレス情報を再生するための同期信号パターンとが含まれ、該同期信号パターンが該光ディスクの副次情報に関する情報に応じて反転している光ディスクの再生装置であって、該物理ブロック内の同期信号パターンから得られる再生信号の極性を判別して、該再生信号の極性に対応した情報を再生する位相判別部と、該位相判別部で得られた情報に基づいて、該光ディスクの副次情報を再生する副次情報再生部とを備えた光ディスクの再生装置が提供される。
【００２３】
本発明の光ディスクの再生装置の一例を図４に示す。図４は、各物理ブロック中の同期信号パターンから得られる再生信号（プッシュプル信号等の差動信号）により同期信号を生成するとともに再生信号の極性を判別して、同期信号パターンの再生信号の極性に対応した情報（「１」または「０」）を再生し、光ディスクの副次情報を再生するための再生装置の概略構成図である。
【００２４】
図４に示した再生装置の例は、同期信号パターンとしてウォブルパターンを用いた場合の例である。副次情報の再生方法は次の通りである。まず、受光素子４１で得られた同期信号パターンの再生信号（プッシュプル信号などの差動信号）を２値化変換器４３で２値化する。次いで、その２値化情報が物理ブロック単位で第１シフトレジスタ４４に蓄積されて同期信号パターンに対応する２値化情報が生成される。次いで、第１シフトレジスタ４４で生成された同期信号パターンの２値化情報を比較器４５でＲＯＭ４６内に記憶された正位相または逆位相の同期信号パターンの２値化情報と比較し、同期信号を生成するとともに同期信号パターンの再生信号の極性（正位相または逆位相）を判別して、情報「１」または「０」の１ビットの情報を第２シフトレジスタ４７に出力する。次いで、各物理ブロックから得られた１ビットの情報を第２シフトレジスタ４７で蓄積して、図２（ｂ）に示すような、ビット列を構成する。そして、第２シフトレジスタ４７から出力されたビット列から光ディスクの副次情報を再生する。
【発明の効果】
【００２５】
本発明の光ディスク及びその再生装置によれば、光ディスクを駆動するために必要な光ディスクの副次情報に応じて物理ブロック中の同期信号パターンが反転しているので、物理ブロックに形成された同期信号パターンから得られる再生信号の極性を判別することにより光ディスクの副次情報を再生することができる。それゆえ、光ディスクのユーザー情報等の記録再生動作に支障を与えることなく光ディスクの副次情報を記録再生することが可能な光ディスク及びその再生装置を提供することができる。
【００２６】
さらに、本発明の光ディスクによれば、光ディスクの副次情報を、図５に示すようなウォブルパターンやピットパターンなどの凹凸パターンで形成された同期信号パターンに記録することができるので、光ディスクの副次情報を容易に複製することができない光ディスクが得られる。
【発明を実施するための最良の形態】
【００２７】
以下に、本発明の光ディスク及び光ディスクの再生装置について実施例を用いて具体的に説明するが、本発明はこれに限定されない。
【実施例１】
【００２８】
［光ディスクのフォーマット構成］
実施例１で作製した光ディスクのデータフォーマットを図１〜３に示した。この例で作製した光ディスクのデータフォーマットは、図１（ａ）に示すように、複数の物理ブロックから構成される。
【００２９】
各物理ブロックは図２（ａ）に示すように、複数のセグメントで構成され、セグメント間にはクロックマークが形成されている。この例で作製した光ディスクでは、図２（ａ）に示すように、物理ブロック内の先頭のセグメント２０（図面上の最も左側に位置するセグメント）は同期信号の情報が記録された領域（以下、ＳＹＮＣ領域という）とアドレス情報領域とから構成され、アドレス情報領域に先行する位置（図面上ではより左側の位置）にＳＹＮＣ領域を設けた。なお、この例で作製した光ディスクでは、後述するように、物理ブロック内の先頭のセグメント２０のＳＹＮＣ領域に形成された同期信号パターンに光ディスクの副次情報の一部を記録した。クロックマークは情報の記録再生時のクロックを生成するために設けられており、このクロックマークを基準にしてＰＬＬ回路から記録再生のためのクロック信号が再生される。ＳＹＮＣ領域には、アドレス情報領域に記録されたアドレス情報を再生するための同期信号パターンが形成されており、この同期信号パターンから得られる同期信号を基準にしてアドレス情報を再生するタイミングが得られる。
【００３０】
図２（ａ）中の物理ブロックの先頭に配置されたセグメント２０内のデータフォーマットを図３に示した。図３中の領域２がＳＹＮＣ領域、領域３〜６がアドレス情報領域である。この例では、図３に示すように、ＳＹＮＣ領域２の同期信号をウォブル溝で形成した。アドレス情報領域３（以下、周内アドレス情報領域３ともいう）はトラック周内における物理ブロックのアドレス情報等が記録されており、アドレス情報領域４〜６（以下、トラック情報領域４〜６ともいう）にはトラックのアドレス情報等が記録されている。周内アドレス情報領域３及びトラック情報領域４〜６の各アドレス情報は、ウォブル溝の形状パターンにより記録した。
【００３１】
この例で作製した光ディスクでは、図２（ａ）中の物理ブロックの先頭に配置されたセグメント２０は、図３に示すように、２つのセグメント２１及び２２により構成し、セグメント２１と２２との間には記録再生用クロックを生成するための埋め込み型クロックマーク１を形成した。セグメント２１は、図３に示すように、セグメント２１の先頭から（図面上では左側から）プリアンブル領域８、ＳＹＮＣ領域２、周内アドレス情報領域３及びトラック情報領域４の順で構成した。セングメント２２は、図３に示すように、セグメント２２の先頭からトラック情報領域５及び６の順で構成した。
【００３２】
この例で作製した光ディスクでは、セキュリティに関するＩＤ情報やメーカー情報等を含む光ディスクの副次情報は、図１（ｂ）及び図２（ｂ）に示すように、ビット列で表わされる。この例では、図２（ｂ）に示すように、副次情報を表わすビット列を構成する各ビット情報（「１」または「０」）を、各物理ブロックのＳＹＮＣ領域に形成された同期信号パターン（図３ではウォブルパターン）のトラック方向の位相状態（正位相または逆位相）に対応させて記録した。それゆえ、この例の光ディスクでは、図１に示すように、各物理ブロック単位から副次情報に関する１ビットの情報が得られる。そして、副次情報は、図１（ｂ）及び図２（ｂ）に示すように、各物理ブロックから得られた１ビットの情報の所定の集合単位（以下、物理ブロック集合単位という）で表わした。
【００３３】
この例の光ディスクでは、図３に示すように、破線１０Ａで囲まれた同期信号のウォブルパターン（正位相状態）に情報「１」を割り当て、破線１０Ａで囲まれた同期信号のウォブルパターンと逆位相の関係にある破線１０Ｂで囲まれた同期信号のウォブルパターン（逆位相状態）に情報「０」を割り当てた。なお、本発明はこれに限定されず、逆に、破線１０Ａで囲まれた同期信号のウォブルパターンを情報「０」とし、破線１０Ｂで囲まれた同期信号のウォブルパターンを情報「１」としても良い。
【００３４】
また、本発明の光ディスクでは、図２（ｂ）に示すような副次情報を表わす物理ブロック集合単位のビット列の長さをトラック１周とし、１トラックに２４ビット（３バイト）の副次情報を記録した。なお、物理ブロック集合単位のビット列の長さは、この長さに限定されない。光ディスク内ではトラック毎に長さが異なり、１トラックを構成するフレーム数もトラック位置により異なる場合もあるので、物理ブロック集合単位のビット列の長さ及びビット数は適宜設定し得る。
【００３５】
この例で作製した光ディスクでは、図３に示すようなウォブル溝で形成された同期信号パターン（例えば、図３中の破線領域１０Ａ及び１０Ｂ内のパターン）を原盤製造プロセスの過程で形成した。光ディスクの記録再生に用いる物理アドレスは物理ブロック単位に分割できる構造を有しているので、この物理アドレス情報を原盤製造プロセスで記録する際に一緒にセキュリティに関するＩＤ情報やメーカー情報などの副次情報を同期信号パターンに記録することができる。
【００３６】
また、この例で作製した光ディスクでは、図３に示すように、記録トラックはアドレス情報が記録されているグルーブトラックとグルーブ間に挟まれたランドトラックとから構成した。なお、いずれのトラックにもユーザデータを記録することができる。
【００３７】
周内アドレス情報領域３は、図３に示すように、全てのグルーブトラックに形成し、径方向に並んで配置した。なお、周内アドレス情報領域３に記録される情報はトラック周内における物理ブロックのアドレス情報等であるので、図３のように径方向に並んで配置されている物理ブロックでは周内アドレス情報領域３の情報は全て同一情報になる。
【００３８】
トラックのアドレス情報（以下、トラック情報ともいう）は、図３に示すように、領域４〜６のグルーブトラック上に形成し、一つのランドトラックを挟んで同じトラック情報がペアで径方向に並ぶように配置し、且つ、隣接するトラック間ではトラック情報のペアを径方向にずらして配置した。具体的には、図３に示すように、Ｎ−１及びＮ＋２番目のトラック情報のペアをトラック情報領域４に形成し、Ｎ−２、Ｎ＋１及びＮ＋４番目のトラック情報のペアをトラック情報領域５に形成し、そして、Ｎ及びＮ＋３番目のトラック情報のペアをトラック情報領域６に形成した。
【００３９】
図３に示すように、トラック情報のペアが隣接するトラック間で径方向で並ばないように１トラック毎にずらして配置することにより、全ランドトラックにもトラック情報を供給できるようにした。当然ながら、図３に示すようなフォーマットでトラック情報を配置した場合、トラック情報を記録する領域は３箇所以上必要となる。
【００４０】
また、各トラック情報領域４〜６では、図３に示すように、各トラック情報のペア間のグルーブ領域には情報が記録されていない領域７を配置した。例えば、図３中のトラック情報領域４では、Ｎ−１番目のトラック情報のペアとＮ＋１番目のトラック情報のペアとの間に挟まれたＮ番目のグルーブトラックの領域４には情報が記録されていない直線溝（ウォブルしていない溝）を形成した。
【００４１】
グルーブトラック上のトラック情報の再生方法は次の通りである。例えば、Ｎ＋１番目のグループトラック上を図３中の矢印３０の方向に再生光を走査して再生信号を検出すると、Ｎ＋２、Ｎ＋１の順でトラックアドレス情報が読み出される。トラック情報として２種類の情報が得られるが、その配置には規則性が有るため、その規則性に基づいて有効なトラック情報を選択することができる。なお、トラック情報の選択を容易にするための識別パターンをトラック情報内に組み込んでも良い。
【００４２】
一方、ランドトラックのトラック情報は次のようにして再生される。ランドトラック上には、図３に示すように、ランドトラックの径方向の両側に同一のトラック情報（グルーブトラックに形成されたトラック情報）が形成されている領域が存在する。例えば、Ｎ番目のランドトラックでは、領域６がＮ番目及びＮ−１番目のグルーブトラックに形成されたＮ番目のトラック情報で挟まれている。このようなＮ番目のランドトラック上に、再生光を図３中の矢印３０の方向に走査して再生信号を検出すると、領域６でランドトラックの径方向の両側から同じＮ番目のトラック情報が検出され、Ｎ番目のランドトラックのトラック情報が得られる。このように、ランドトラックの径方向の両側から同じトラック情報が得られる領域のトラック情報を検出することにより、ランドトラックのトラック情報が得られる。上述のような方法により、この例で作製した光ディスクでは、グルーブトラック及びランドトラックのいずれのアドレス情報も確実に再生することができる。
【００４３】
［再生装置及び副次情報の再生方法］
次に、実施例１で作製した光ディスクのＳＹＮＣ領域の同期信号パターンから光ディスクの副次情報及び同期信号を再生するための再生装置及び再生方法について説明する。
【００４４】
この例で用いた再生装置における副次情報再生部の概略構成図を図４に示した。この例の副次情報再生部は、図４に示すように、主に差動増幅器４２、２値化変換器４３、第１シフトレジスタ４４、比較器４５、ＲＯＭ４６及び第２シフトレジスタ４７から構成される。
【００４５】
副次情報の再生方法は次の通りである。まず、再生光を同期信号パターンが形成されたウォブル溝４０上に照射する。次いで、同期信号パターン領域（図３中のＳＹＮＣ領域２）からの反射光を、例えば図４中のビームスプリッタ５１や集光レンズ５２等で構成される光学系を介して２分割受光素子４１で検出する。２分割受光素子４１で検出された再生信号（例えば、プッシュプル信号等の差動信号）は差動増幅器４２に入力される。差動増幅器４２からの出力信号は２値化変換器４３に入力され「１」または「０」の２値化情報が出力されて、第１シフトレジスタ４４に送られる。
【００４６】
２値化変換器４３から第１シフトレジスタ４４に入力された２値化信号は、物理ブロック単位で第１シフトレジスタ４４内に蓄積され、同期信号パターンに対応した２値化情報が生成される。次いで、第１シフトレジスタ４４で生成された同期信号パターンの物理ブロック単位の２値化情報は比較器４５に送られる。比較器４５内では、同期信号パターンの物理ブロック単位の２値化情報とＲＯＭ４６に記憶された正位相または逆位相の同期信号パターンの２値化情報とが比較され、同期信号が生成されるとともに、検出された同期信号パターンの再生信号が正位相であるか逆位相であるかが判別される。第１シフトレジスタ４４で生成された同期信号パターンの物理ブロック単位の２値化情報が正位相と判断された場合には１ビットの情報「１」が、逆位相と判断された場合には１ビットの情報「０」がそれぞれ第２シフトレジスタ４７に出力される。第２シフトレジスタ４７では、第１シフトレジスタ４４から出力された物理ブロック単位の２値化情報を物理ブロック集合単位で蓄積して、図２（ｂ）に示すような光ディスクの副次情報を表わすビット列を生成する。そして、第２シフトレジスタ４７で生成された物理ブロック集合単位のビット列から副次情報を再生する。
【００４７】
上述したような再生装置及び再生方法を用いることにより、光ディスクの副次情報以外の情報（ユーザー情報など）の記録再生動作に支障を与えることなく、光ディスクの副次情報の記録再生を行うことができた。
【実施例２】
【００４８】
実施例２で作製した光ディスクでは、図３中のＳＹＮＣ領域２の同期信号パターンを図５（ｂ）に示すようなピットパターンで形成した。それ以外の構成は実施例１と同様にした。
【００４９】
また、実施例２で用いた再生装置における副次情報再生部の概略構成図を図６に示した。この例で作製した光ディスクの同期信号パターンは、図５（ｂ）に示すようなピットパターン６０で形成したので、この例で用いた再生装置では、実施例１で用いた図４中の差動増幅器４２の代わりに、図６に示すように加算器６２を用いた。加算器６２以外の構成は実施例１と同様である。この例で作製した光ディスクの副次情報は、実施例１と同様にして再生した。その結果、実施例２においても光ディスクの副次情報以外の情報の記録再生動作に支障を与えることなく、光ディスクの副次情報の記録再生を行うことができた。
【００５０】
上記実施例１及び２では、各物理ブロックに１ビットの情報を対応させて、副次情報を物理ブロック集合単位のビット列で表わした例を示したが、さらに得られた物理ブロック集合単位のビット列の情報をコーディングした情報に対応させて副次情報を再生しても良い。例えば、得られたビット列が２ビットの場合、ビット列「００」、「０１」、「１０」及び「１１」に対してそれぞれ「Ａ」、「Ｂ」、「Ｃ」及び「Ｄ」のようなコード情報に対応させて再生することができる。このような副次情報の再生方法では、物理ブロックがＮ個ある場合、２のＮ剰個の組み合わせの中から特定のコード情報を再生することが可能である。
【００５１】
上記実施例１及び２では、図３に示すように、ＳＹＮＣ領域２を物理ブロックの先頭部分に配置した例を説明したが、本発明はこれに限定されない。例えば、ＳＹＮＣ領域２を図３中のアドレス情報領域３〜６のいずれかの間に配置しても良い。また、物理ブロック内に複数のＳＹＮＣ領域が形成されていても良い。物理ブロック内に複数のＳＹＮＣ領域を設けた場合には、物理ブロック内の特定のＳＹＮＣ領域にのみ光ディスクの副次情報を記録する。特定のＳＹＮＣ領域以外のＳＹＮＣ領域には同期信号の情報だけを記録する。すなわち、物理ブロック内の特定のＳＹＮＣ領域の同期信号パターンだけを光ディスクの副次情報に応じてパターンを反転させ、特定のＳＹＮＣ領域以外のＳＹＮＣ領域の同期信号パターンは光ディスクの副次情報に関係無く所定のパターン（例えば、正位相）で形成する。
【００５２】
１つの物理ブロック内に複数のＳＹＮＣ領域がある場合、光ディスクの副次情報を記録するＳＹＮＣ領域を上述のように特定することにより、情報再生の際にドライブのアクセスが容易になる。例えば、物理ブロックに付与されたアドレス情報を用いて副次情報の再生を行うことにより、副次情報の再生を簡単に行うことができる。
【００５３】
また、物理ブロック内の副次情報を記録するＳＹＮＣ領域を上述のように特定することにより、次のような利点もある。図３に示したような同期信号パターン（ウォブルパターン）の再生信号を正確に再生するためには隣接トラックからのクロストークも考慮する必要がある。記録密度が高くなると、トラックピッチは狭小化し隣接トラックの同期信号パターンとの干渉が避け難くなる。すなわち、情報の高記録密度化に伴いクロストークの影響で同期信号パターンの再生信号が劣化するおそれがある。しかしながら、副次情報が記録されているＳＹＮＣ領域の位置を物理ブロック内で特定することにより、精度良く同期信号パターンの再生信号を検出することが可能になる。例えば、副次情報が記録される特定のＳＹＮＣ領域における同期信号パターンの形成条件（ウォブル量等）を適宜変更することにより、精度良く同期信号パターンの再生信号を検出することができる。また、副次情報が記録されるＳＹＮＣ領域の位置を物理ブロック内で特定することにより、ユーザー情報特有の副次情報をユーザー情報が記録される領域毎に記録することもできるので、ユーザー情報に対しても配慮することができるという利点もある。
【００５４】
上記実施例１及び２では、光ディスクの副次情報に関する情報が同期信号パターン全体に含まれる例を説明したが、本発明はこれに限定されず、同期信号パターンの一部に含まれていても良い。例えば、同期信号パターンの一部を光ディスクの副次情報に関する情報に応じて反転させても良い。
【産業上の利用可能性】
【００５５】
上述のように、本発明の光ディスクでは、セキュリティに関する光ディスクの副次情報に応じて同期信号パターンを物理ブロック単位で反転させることにより副次情報が記録されているので、副次情報以外の情報（ユーザデータなど）の記録再生に影響を与えることなく副次情報を記録再生することが可能な光ディスク及びその再生装置が提供される。
【００５６】
また、本発明の光ディスクでは、図５に示すように、光ディスクの副次情報がウォブルパターンやピットパターンなどの物理的な凹凸パターンにより記録することができるので、光ディスクの副次情報を容易に複製することができない光ディスクが得られる。
【００５７】
さらに、本発明の光ディスク及びその再生装置は、光ディスクの種類に関係無く適用可能であるので、各種光ディスク間のセキュリティ性が一層向上し、より信頼性の高い光ディスクシステムを提供することができる。
【図面の簡単な説明】
【００５８】
【図１】図１は、実施例１で作製した光ディスクのデータフォーマットの概略構成図であり、図１（ａ）は物理ブロックの構成図であり、図１（ｂ）は副次情報の構成図である。
【図２】図２は、実施例１で作製した光ディスクの物理ブロック内部のフォーマットの概略構成図であり、図２（ａ）は物理ブロック内部の構成図であり、図２（ｂ）は副次情報の構成図である。
【図３】図３は、実施例１で作製した光ディスクの同期信号領域とアドレス情報領域の概略構成図である。
【図４】図４は、実施例１で作製した光ディスクから副次情報を再生するための再生装置の概略構成図である。
【図５】図５は、実施例１及び２で形成した同期信号パターンと、その同期信号パターンに割り当てられる情報との関係を示した図であり、図５（ａ）は同期信号パターンがウォブルパターンで形成された場合の図であり、図５（ｂ）は同期信号パターンがピットパターンで形成された場合の図である。
【図６】図６は、実施例２で作製した光ディスクから副次情報を再生するための再生装置の概略構成図である。
【符号の説明】
【００５９】
１  クロックマーク
２  ＳＹＮＣ（同期信号）領域
３  周内アドレス情報領域
４，５，６  トラック情報領域
７  グルーブ
１０Ａ，１０Ｂ  同期信号パターン
２０，２１，２２  セグメント
４０  ウォブル溝
４１  受光素子
４２  差動増幅器
４３  ２値化変換器
４４，４７  シフトレジスタ
４５  比較器
４６  ＲＯＭ
６０  ピット
６２  加算器
【図１】
2005317142.tif 000003
【図２】
2005317142.tif 000004
【図３】
2005317142.tif 000005
【図４】
2005317142.tif 000006
【図５】
2005317142.tif 000007
【図６】
2005317142.tif 000008